(57)【要約】第１の制御チャネルを使用して第１の制御情報を提供し、第２の制御チャネルを使用して少なくとも第２の制御情報を提供する手段を備える装置が提供され、第１の制御情報は、少なくとも、関連データチャネルのリソース予約のインジケーションを備え、第２の制御情報は、少なくとも、関連データチャネルの送信フォーマット情報を備え、関連データチャネルは、周期的または非周期的なデータトラフィックを備える。【選択図】図９
2022502916.tif 000002
【特許請求の範囲】
【請求項１】
装置であって、前記装置は、第１の制御チャネルを使用して第１の制御情報を提供し、第２の制御チャネルを使用して少なくとも第２の制御情報を提供する、手段を備え、
前記第１の制御情報は、少なくとも、関連データチャネルのリソース予約のインジケーションを備え、前記第２の制御情報は、少なくとも、前記関連データチャネルの送信フォーマット情報を備え、前記関連データチャネルは、周期的または非周期的なデータトラフィックを備える、
前記装置。
【請求項２】
前記第２の制御チャネルを使用して前記第１の制御情報及び前記第２の制御情報を提供する手段を備える、請求項１に記載の装置。
【請求項３】
前記第１の制御情報は、データ周期性のインジケーション、サービス品質要件を示すデータパケット情報、リソース予約情報、及びリソース割り当て情報のうちの少なくとも１つを備える、請求項１または２のいずれかに記載の装置。
【請求項４】
前記第２の制御情報は、変調及び符号化方式（ＭＣＳ）情報、マルチアンテナ送信関連情報、及び宛先アドレス情報のうちの少なくとも１つを備える、請求項１〜３のいずれかに記載の装置。
【請求項５】
前記第１の制御情報及び前記第２の制御情報のうちの少なくとも１つは、前記関連データチャネルのデータパケット再送情報及び復調参照構成情報のうちの少なくとも１つを備える、請求項１〜４のいずれかに記載の装置。
【請求項６】
前記関連データチャネルが周期的データトラフィックを備え、かつ、現在の周期にデータ送信がないとき、第１の制御情報を、前記第１の制御チャネルを使用して提供する手段を備え、前記第１の制御情報は、前記現在の周期における前記データ送信の不在のインジケーションを備える、請求項１〜５のいずれかに記載の装置。
【請求項７】
前記関連データチャネルが周期的データトラフィックを備え、かつ、現在の周期にデータ送信があるとき、前記関連データチャネルと共に、前記第２の制御チャネルまたは前記第１の制御チャネル及び前記第２の制御チャネルを提供する手段を備える、請求項１〜６のいずれかに記載の装置。
【請求項８】
前記関連データチャネルが非周期的データトラフィックを備えるとき、時間リソースにおいて前記関連データチャネルに先行して前記第１の制御チャネルを提供する手段を備える、請求項１〜７に記載の装置。
【請求項９】
装置であって、前記装置は、第１の制御チャネルを使用して第１の制御情報を受信し、第２の制御チャネルを使用して少なくとも第２の制御情報を受信する、手段を備え、
前記第１の制御情報は、少なくとも、関連データチャネルのリソース予約のインジケーションを備え、前記第２の制御情報は、少なくとも、前記関連データチャネルの送信フォーマット情報を備え、前記関連データチャネルは、周期的または非周期的なデータトラフィックを備える、
前記装置。
【請求項１０】
前記第２の制御チャネルを使用して前記第１の制御情報及び前記第２の制御情報を受信する手段を備える、請求項９に記載の装置。
【請求項１１】
前記第１の制御情報は、データ周期性のインジケーション、サービス品質要件を示すデータパケット情報、リソース予約情報、及びリソース割り当て情報のうちの少なくとも１つを備える、請求項９または１０のいずれかに記載の装置。
【請求項１２】
前記第２の制御情報は、変調及び符号化方式（ＭＣＳ）情報、マルチアンテナ送信関連情報、及び宛先アドレス情報のうちの少なくとも１つを備える、請求項９〜１１のいずれかに記載の装置。
【請求項１３】
前記第１の制御情報及び前記第２の制御情報のうちの少なくとも１つは、前記関連データチャネルのデータパケット再送情報及び復調参照構成情報のうちの少なくとも１つを備える、請求項９〜１２のいずれかに記載の装置。
【請求項１４】
前記関連データチャネルが周期的データトラフィックを備え、かつ、現在の周期にデータ送信がないとき、第１の制御情報を、前記第１のチャネルを使用して受信する手段を備え、前記第１の制御情報は、前記現在の周期における前記データ送信の不在のインジケーションを備える、請求項９〜１３のいずれかに記載の装置。
【請求項１５】
前記関連データチャネルが周期的データトラフィックを備え、かつ、現在の周期にデータ送信があるとき、前記関連データチャネルと共に、前記第２の制御チャネルまたは前記第１の制御チャネル及び前記第２の制御チャネルを受信する手段を備える、請求項９〜１４のいずれかに記載の装置。
【請求項１６】
前記関連データチャネルが非周期的データトラフィックを備えるとき、時間リソースにおいて前記関連データチャネルに先行して前記第１の制御チャネルを受信する手段を備える、請求項９〜１５のいずれかに記載の装置。
【請求項１７】
第１の制御チャネルを使用して第１の制御情報を提供し、第２の制御チャネルを使用して少なくとも第２の制御情報を提供することを備える方法であって、
前記第１の制御情報は、少なくとも、関連データチャネルのリソース予約のインジケーションを備え、前記第２の制御情報は、少なくとも、前記関連データチャネルの送信フォーマット情報を備え、前記関連データチャネルは、周期的または非周期的なデータトラフィックを備える、
前記方法。
【請求項１８】
第１の制御チャネルを使用して第１の制御情報を受信し、第２の制御チャネルを使用して少なくとも第２の制御情報を受信することを備える方法であって、
前記第１の制御情報は、少なくとも、関連データチャネルのリソース予約のインジケーションを備え、前記第２の制御情報は、少なくとも、前記関連データチャネルの送信フォーマット情報を備え、前記関連データチャネルは、周期的または非周期的なデータトラフィックを備える、
前記方法。
【請求項１９】
少なくとも１つのプロセッサと、コンピュータプログラムコードを含む少なくとも１つのメモリとを備える装置であって、
前記少なくとも１つのメモリ及び前記コンピュータプログラムコードは、前記少なくとも１つのプロセッサと共に、少なくとも、
第１の制御チャネルを使用して第１の制御情報を提供し、第２の制御チャネルを使用して少なくとも第２の制御情報を提供することを、前記装置に実行させるように構成され、
前記第１の制御情報は、少なくとも、関連データチャネルのリソース予約のインジケーションを備え、前記第２の制御情報は、少なくとも、前記関連データチャネルの送信フォーマット情報を備え、前記関連データチャネルは、周期的または非周期的なデータトラフィックを備える、
前記装置。
【請求項２０】
少なくとも１つのプロセッサと、コンピュータプログラムコードを含む少なくとも１つのメモリとを備える装置であって、
前記少なくとも１つのメモリ及び前記コンピュータプログラムコードは、前記少なくとも１つのプロセッサと共に、少なくとも、
第１の制御チャネルを使用して第１の制御情報を受信し、第２の制御チャネルを使用して少なくとも第２の制御情報を受信することを、前記装置に実行させるように構成され、
前記第１の制御情報は、少なくとも、関連データチャネルのリソース予約のインジケーションを備え、前記第２の制御情報は、少なくとも、前記関連データチャネルの送信フォーマット情報を備え、前記関連データチャネルは、周期的または非周期的なデータトラフィックを備える、
前記装置。
【請求項２１】
プログラム命令を備えるコンピュータ可読媒体であって、前記プログラム命令は、少なくとも、
第１の制御チャネルを使用して第１の制御情報を提供し、第２の制御チャネルを使用して少なくとも第２の制御情報を提供することを、装置に実行させ、
前記第１の制御情報は、少なくとも、関連データチャネルのリソース予約のインジケーションを備え、前記第２の制御情報は、少なくとも、前記関連データチャネルの送信フォーマット情報を備え、前記関連データチャネルは、周期的または非周期的なデータトラフィックを備える、
前記コンピュータ可読媒体。
【請求項２２】
プログラム命令を備えるコンピュータ可読媒体であって、前記プログラム命令は、少なくとも、
第１の制御チャネルを使用して第１の制御情報を受信し、第２の制御チャネルを使用して少なくとも第２の制御情報を受信することを、装置に実行させ、
前記第１の制御情報は、少なくとも、関連データチャネルのリソース予約のインジケーションを備え、前記第２の制御情報は、少なくとも、前記関連データチャネルの送信フォーマット情報を備え、前記関連データチャネルは、周期的または非周期的なデータトラフィックを備える、
前記コンピュータ可読媒体。
【発明の詳細な説明】
【技術分野】
【０００１】
本出願は、方法、装置、システム、及びコンピュータプログラムに関し、具体的には周期的及び非周期的な車両と全てのもの（Ｖ２Ｘ）のトラフィックのチャネル構造を制御することに関するが、これに限定されない。
【背景技術】
【０００２】
通信システムは、通信経路に関与する様々なエンティティ間のキャリアを提供することにより、ユーザ端末、基地局、及び／または他のノードなどの２つ以上のエンティティ間の通信セッションを可能にする設備とみなされ得る。通信システムは、例えば通信ネットワーク及び１つ以上の互換性のある通信デバイスにより、提供され得る。通信セッションは、例えば、音声、映像、電子メール（ｅメール）、テキストメッセージ、マルチメディア、及び／またはコンテンツデータなどの通信を伝達するデータ通信を含み得る。提供されるサービスの非限定的な例として、双方向または多方向通話、データ通信またはマルチメディアサービス、及びインターネットなどのデータネットワークシステムへのアクセスが挙げられる。
【０００３】
無線通信システムでは、少なくとも２局間の通信セッションの少なくとも一部は、無線リンクを介して行われる。無線システムの例として、公衆地上移動通信網（ＰＬＭＮ）、衛星ベースの通信システム、及び、例えば無線ローカルエリアネットワーク（ＷＬＡＮ）などの様々な無線ローカルネットワークが挙げられる。無線システムは通常、セルに分割されることができるため、セルラーシステムと称されることが多い。
【０００４】
ユーザは、好適な通信デバイスまたは端末により、通信システムにアクセスすることができる。ユーザの通信デバイスは、ユーザ機器（ＵＥ）またはユーザデバイスと称され得る。通信を可能にする、例えば通信ネットワークへのアクセスまたは他のユーザとの直接通信を可能にする好適な信号送受信装置が、通信デバイスに設けられる。通信デバイスは、例えばセルの基地局などの局が提供するキャリアにアクセスして、キャリア上で通信を送信及び／または受信し得る。
【０００５】
通信システム及び関連デバイスは通常、システムに関連する様々なエンティティの許可された動作及びその達成方法を提示する所与の規格または仕様に従って作動する。通常は、接続に使用されるべき通信プロトコル及び／またはパラメータも定義される。通信システムの一例として、ＵＴＲＡＮ（３Ｇ無線）が挙げられる。通信システムの他の例として、ユニバーサル移動体通信システム（ＵＭＴＳ）無線アクセス技術のロングタームエボリューション（ＬＴＥ）、及びいわゆる５ＧまたはＮｅｗ  Ｒａｄｉｏ（ＮＲ）ネットワークが挙げられる。ＮＲは、第３世代パートナーシッププロジェクト（３ＧＰＰ）により規格化されている。
【発明の概要】
【０００６】
第１の態様では、装置が提供され、当該装置は、第１の制御チャネルを使用して第１の制御情報を提供し、第２の制御チャネルを使用して少なくとも第２の制御情報を提供する、手段を備え、第１の制御情報は、少なくとも、関連データチャネルのリソース予約のインジケーションを備え、第２の制御情報は、少なくとも、関連データチャネルの送信フォーマット情報を備え、関連データチャネルは、周期的または非周期的なデータトラフィックを備える。
【０００７】
装置は、第２の制御チャネルを使用して第１の制御情報及び第２の制御情報を提供する手段を備え得る。
【０００８】
第１の制御情報は、データ周期性のインジケーション、サービス品質要件を示すデータパケット情報、リソース予約情報、及びリソース割り当て情報のうちの少なくとも１つを備え得る。
【０００９】
第２の制御情報は、変調及び符号化方式（ＭＣＳ）情報、マルチアンテナ送信関連情報、及び宛先アドレス情報のうちの少なくとも１つを備え得る。
【００１０】
第１の制御情報及び第２の制御情報のうちの少なくとも１つは、関連データチャネルのデータパケット再送情報及び復調参照構成情報のうちの少なくとも１つを備え得る。
【００１１】
装置は、関連データチャネルが周期的データトラフィックを備え、かつ、現在の周期にデータ送信がないとき、現在の周期におけるデータ送信の不在のインジケーションを備える第１の制御情報を、第１の制御チャネルを使用して提供する手段を備え得る。
【００１２】
装置は、関連データチャネルが周期的データトラフィックを備え、かつ、現在の周期にデータ送信があるとき、関連データチャネルと共に、第２の制御チャネルまたは第１の制御チャネル及び第２の制御チャネルを提供する手段を備え得る。
【００１３】
装置は、関連データチャネルが非周期的データトラフィックを備えるとき、時間リソースにおいて関連データチャネルに先行して第１の制御チャネルを提供する手段を備え得る。
【００１４】
第２の態様では、装置が提供され、当該装置は、第１の制御チャネルを使用して第１の制御情報を受信し、第２の制御チャネルを使用して少なくとも第２の制御情報を受信する、手段を備え、第１の制御情報は、少なくとも、関連データチャネルのリソース予約のインジケーションを備え、第２の制御情報は、少なくとも、関連データチャネルの送信フォーマット情報を備え、関連データチャネルは、周期的または非周期的なデータトラフィックを備える。
【００１５】
装置は、第２の制御チャネルを使用して第１の制御情報及び第２の制御情報を受信する手段を備え得る。
【００１６】
第１の制御情報は、データ周期性のインジケーション、サービス品質要件を示すデータパケット情報、リソース予約情報、及びリソース割り当て情報のうちの少なくとも１つを備え得る。
【００１７】
第２の制御情報は、変調及び符号化方式（ＭＣＳ）情報、マルチアンテナ送信関連情報、及び宛先アドレス情報のうちの少なくとも１つを備える。
【００１８】
第１の制御情報及び第２の制御情報のうちの少なくとも１つは、関連データチャネルのデータパケット再送情報及び復調参照構成情報のうちの少なくとも１つを備え得る。
【００１９】
装置は、関連データチャネルが周期的データトラフィックを備え、かつ、現在の周期にデータ送信がないとき、現在の周期におけるデータ送信の不在のインジケーションを備える第１の制御情報を、第１の制御チャネルを使用して受信する手段を備え得る。
【００２０】
装置は、関連データチャネルが周期的データトラフィックを備え、かつ、現在の周期にデータ送信があるとき、関連データチャネルと共に、第２の制御チャネルまたは第１の制御チャネル及び第２の制御チャネルを受信する手段を備え得る。
【００２１】
装置は、関連データチャネルが非周期的データトラフィックを備えるとき、時間リソースにおいて関連データチャネルに先行して第１の制御チャネルを受信する手段を備え得る。
【００２２】
第３の態様では、第１の制御チャネルを使用して第１の制御情報を提供し、第２の制御チャネルを使用して少なくとも第２の制御情報を提供することを備える方法が提供され、第１の制御情報は、少なくとも、関連データチャネルのリソース予約のインジケーションを備え、第２の制御情報は、少なくとも、関連データチャネルの送信フォーマット情報を備え、関連データチャネルは、周期的または非周期的なデータトラフィックを備える。
【００２３】
方法は、第２の制御チャネルを使用して第１の制御情報及び第２の制御情報を提供することを備え得る。
【００２４】
第１の制御情報は、データ周期性のインジケーション、サービス品質要件を示すデータパケット情報、リソース予約情報、及びリソース割り当て情報のうちの少なくとも１つを備え得る。
【００２５】
第２の制御情報は、変調及び符号化方式（ＭＣＳ）情報、マルチアンテナ送信関連情報、及び宛先アドレス情報のうちの少なくとも１つを備え得る。
【００２６】
第１の制御情報及び第２の制御情報のうちの少なくとも１つは、関連データチャネルのデータパケット再送情報及び復調参照構成情報のうちの少なくとも１つを備え得る。
【００２７】
方法は、関連データチャネルが周期的データトラフィックを備え、かつ、現在の周期にデータ送信がないとき、現在の周期におけるデータ送信の不在のインジケーションを備える第１の制御情報を、第１の制御チャネルを使用して提供することを備え得る。
【００２８】
方法は、関連データチャネルが周期的データトラフィックを備え、かつ、現在の周期にデータ送信があるとき、関連データチャネルと共に、第２の制御チャネルまたは第１の制御チャネル及び第２の制御チャネルを提供することを備え得る。
【００２９】
方法は、関連データチャネルが非周期的データトラフィックを備えるとき、時間リソースにおいて関連データチャネルに先行して第１の制御チャネルを提供することを備え得る。
【００３０】
第４の態様では、第１の制御チャネルを使用して第１の制御情報を受信し、第２の制御チャネルを使用して少なくとも第２の制御情報を受信することを備える方法が提供され、第１の制御情報は、少なくとも、関連データチャネルのリソース予約のインジケーションを備え、第２の制御情報は、少なくとも、関連データチャネルの送信フォーマット情報を備え、関連データチャネルは、周期的または非周期的なデータトラフィックを備える。
【００３１】
方法は、第２の制御チャネルを使用して第１の制御情報及び第２の制御情報を受信することを備え得る。
【００３２】
第１の制御情報は、データ周期性のインジケーション、サービス品質要件を示すデータパケット情報、リソース予約情報、及びリソース割り当て情報のうちの少なくとも１つを備え得る。
【００３３】
第２の制御情報は、変調及び符号化方式（ＭＣＳ）情報、マルチアンテナ送信関連情報、及び宛先アドレス情報のうちの少なくとも１つを備える。
【００３４】
第１の制御情報及び第２の制御情報のうちの少なくとも１つは、関連データチャネルのデータパケット再送情報及び復調参照構成情報のうちの少なくとも１つを備え得る。
【００３５】
方法は、関連データチャネルが周期的データトラフィックを備え、かつ、現在の周期にデータ送信がないとき、現在の周期におけるデータ送信の不在のインジケーションを備える第１の制御情報を、第１のチャネルを使用して受信することを備え得る。
【００３６】
方法は、関連データチャネルが周期的データトラフィックを備え、かつ、現在の周期にデータ送信があるとき、関連データチャネルと共に、第２の制御チャネルまたは第１の制御チャネル及び第２の制御チャネルを受信することを備え得る。
【００３７】
方法は、関連データチャネルが非周期的データトラフィックを備えるとき、時間リソースにおいて関連データチャネルに先行して第１の制御チャネルを受信することを備え得る。
【００３８】
第５の態様では、少なくとも１つのプロセッサと、コンピュータプログラムコードを含む少なくとも１つのメモリとを備える装置が提供され、少なくとも１つのメモリ及びコンピュータプログラムコードは、少なくとも１つのプロセッサと共に、少なくとも、第１の制御チャネルを使用して第１の制御情報を提供し、第２の制御チャネルを使用して少なくとも第２の制御情報を提供することを、装置に実行させるように構成され、第１の制御情報は、少なくとも、関連データチャネルのリソース予約のインジケーションを備え、第２の制御情報は、少なくとも、関連データチャネルの送信フォーマット情報を備え、関連データチャネルは、周期的または非周期的なデータトラフィックを備える。
【００３９】
装置は、第２の制御チャネルを使用して第１の制御情報及び第２の制御情報を提供するように構成され得る。
【００４０】
第１の制御情報は、データ周期性のインジケーション、サービス品質要件を示すデータパケット情報、リソース予約情報、及びリソース割り当て情報のうちの少なくとも１つを備え得る。
【００４１】
第２の制御情報は、変調及び符号化方式（ＭＣＳ）情報、マルチアンテナ送信関連情報、及び宛先アドレス情報のうちの少なくとも１つを備え得る。
【００４２】
第１の制御情報及び第２の制御情報のうちの少なくとも１つは、関連データチャネルのデータパケット再送情報及び復調参照構成情報のうちの少なくとも１つを備え得る。
【００４３】
装置は、関連データチャネルが周期的データトラフィックを備え、かつ、現在の周期にデータ送信がないとき、現在の周期におけるデータ送信の不在のインジケーションを備える第１の制御情報を、第１の制御チャネルを使用して提供するように構成され得る。
【００４４】
装置は、関連データチャネルが周期的データトラフィックを備え、かつ、現在の周期にデータ送信があるとき、関連データチャネルと共に、第２の制御チャネルまたは第１の制御チャネル及び第２の制御チャネルを提供するように構成され得る。
【００４５】
装置は、関連データチャネルが非周期的データトラフィックを備えるとき、時間リソースにおいて関連データチャネルに先行して第１の制御チャネルを提供するように構成され得る。
【００４６】
第６の態様では、少なくとも１つのプロセッサと、コンピュータプログラムコードを含む少なくとも１つのメモリとを備える装置が提供され、少なくとも１つのメモリ及びコンピュータプログラムコードは、少なくとも１つのプロセッサと共に、少なくとも、第１の制御チャネルを使用して第１の制御情報を受信し、第２の制御チャネルを使用して少なくとも第２の制御情報を受信することを、装置に実行させるように構成され、第１の制御情報は、少なくとも、関連データチャネルのリソース予約のインジケーションを備え、第２の制御情報は、少なくとも、関連データチャネルの送信フォーマット情報を備え、関連データチャネルは、周期的または非周期的なデータトラフィックを備える。
【００４７】
装置は、第２の制御チャネルを使用して第１の制御情報及び第２の制御情報を受信するように構成され得る。
【００４８】
第１の制御情報は、データ周期性のインジケーション、サービス品質要件を示すデータパケット情報、リソース予約情報、及びリソース割り当て情報のうちの少なくとも１つを備え得る。
【００４９】
第２の制御情報は、変調及び符号化方式（ＭＣＳ）情報、マルチアンテナ送信関連情報、及び宛先アドレス情報のうちの少なくとも１つを備える。
【００５０】
第１の制御情報及び第２の制御情報のうちの少なくとも１つは、関連データチャネルのデータパケット再送情報及び復調参照構成情報のうちの少なくとも１つを備え得る。
【００５１】
装置は、関連データチャネルが周期的データトラフィックを備え、かつ、現在の周期にデータ送信がないとき、現在の周期におけるデータ送信の不在のインジケーションを備える第１の制御情報を、第１のチャネルを使用して受信するように構成され得る。
【００５２】
装置は、関連データチャネルが周期的データトラフィックを備え、かつ、現在の周期にデータ送信があるとき、関連データチャネルと共に、第２の制御チャネルまたは第１の制御チャネル及び第２の制御チャネルを受信するように構成され得る。
【００５３】
装置は、関連データチャネルが非周期的データトラフィックを備えるとき、時間リソースにおいて関連データチャネルに先行して第１の制御チャネルを受信するように構成され得る。
【００５４】
第７の態様では、プログラム命令を備えるコンピュータ可読媒体が提供され、プログラム命令は、少なくとも、第１の制御チャネルを使用して第１の制御情報を提供し、第２の制御チャネルを使用して少なくとも第２の制御情報を提供することを、装置に実行させ、第１の制御情報は、少なくとも、関連データチャネルのリソース予約のインジケーションを備え、第２の制御情報は、少なくとも、関連データチャネルの送信フォーマット情報を備え、関連データチャネルは、周期的または非周期的なデータトラフィックを備える。
【００５５】
装置は、第２の制御チャネルを使用して第１の制御情報及び第２の制御情報を提供することを、実行させられ得る。
【００５６】
第１の制御情報は、データ周期性のインジケーション、サービス品質要件を示すデータパケット情報、リソース予約情報、及びリソース割り当て情報のうちの少なくとも１つを備え得る。
【００５７】
第２の制御情報は、変調及び符号化方式（ＭＣＳ）情報、マルチアンテナ送信関連情報、及び宛先アドレス情報のうちの少なくとも１つを備え得る。
【００５８】
第１の制御情報及び第２の制御情報のうちの少なくとも１つは、関連データチャネルのデータパケット再送情報及び復調参照構成情報のうちの少なくとも１つを備え得る。
【００５９】
装置は、関連データチャネルが周期的データトラフィックを備え、かつ、現在の周期にデータ送信がないとき、現在の周期におけるデータ送信の不在のインジケーションを備える第１の制御情報を、第１の制御チャネルを使用して提供することを、実行させられ得る。
【００６０】
装置は、関連データチャネルが周期的データトラフィックを備え、かつ、現在の周期にデータ送信があるとき、関連データチャネルと共に、第２の制御チャネルまたは第１の制御チャネル及び第２の制御チャネルを提供することを、実行させられ得る。
【００６１】
装置は、関連データチャネルが非周期的データトラフィックを備えるとき、時間リソースにおいて関連データチャネルに先行して第１の制御チャネルを提供することを、実行させられ得る。
【００６２】
第８の態様では、プログラム命令を備えるコンピュータ可読媒体が提供され、プログラム命令は、少なくとも、第１の制御チャネルを使用して第１の制御情報を受信し、第２の制御チャネルを使用して少なくとも第２の制御情報を受信することを、装置に実行させ、第１の制御情報は、少なくとも、関連データチャネルのリソース予約のインジケーションを備え、第２の制御情報は、少なくとも、関連データチャネルの送信フォーマット情報を備え、関連データチャネルは、周期的または非周期的なデータトラフィックを備える。
【００６３】
装置は、第２の制御チャネルを使用して第１の制御情報及び第２の制御情報を受信することを、実行させられ得る。
【００６４】
第１の制御情報は、データ周期性のインジケーション、サービス品質要件を示すデータパケット情報、リソース予約情報、及びリソース割り当て情報のうちの少なくとも１つを備え得る。
【００６５】
第２の制御情報は、変調及び符号化方式（ＭＣＳ）情報、マルチアンテナ送信関連情報、及び宛先アドレス情報のうちの少なくとも１つを備える。
【００６６】
第１の制御情報及び第２の制御情報のうちの少なくとも１つは、関連データチャネルのデータパケット再送情報及び復調参照構成情報のうちの少なくとも１つを備え得る。
【００６７】
装置は、関連データチャネルが周期的データトラフィックを備え、かつ、現在の周期にデータ送信がないとき、現在の周期におけるデータ送信の不在のインジケーションを備える第１の制御情報を、第１のチャネルを使用して受信することを、実行させられ得る。
【００６８】
装置は、関連データチャネルが周期的データトラフィックを備え、かつ、現在の周期にデータ送信があるとき、関連データチャネルと共に、第２の制御チャネルまたは第１の制御チャネル及び第２の制御チャネルを受信することを、実行させられ得る。
【００６９】
装置は、関連データチャネルが非周期的データトラフィックを備えるとき、時間リソースにおいて関連データチャネルに先行して第１の制御チャネルを受信することを、実行させられ得る。
【００７０】
第９の態様では、プログラム命令を備える非一時的コンピュータ可読媒体が提供され、プログラム命令は、少なくとも第３の態様による方法または第４の態様による方法を、装置に実行させる。
【００７１】
上記では、多くの異なる例示的な実施形態が説明された。さらなる例示的な実施形態は、前述の例示的な実施形態のうちのいずれか２つ以上を組み合わせることにより提供され得ることを、理解されたい。
【００７２】
ここで、添付の図面を参照して、実施形態が単なる例として説明される。
【図面の簡単な説明】
【００７３】
【図１】基地局及び複数の通信デバイスを備えた例示的な通信システムの概略図を示す。
【図２】例示的なモバイル通信デバイスの概略図を示す。
【図３】例示的な制御装置の概略図を示す。
【図４】チャネル構造の概略図を示す。
【図５】一実施例による方法のフローチャートを示す。
【図６】一実施例による方法のフローチャートを示す。
【図７】一実施例によるチャネル構造の概略図を示す。
【図８】一実施例によるチャネル構造の概略図を示す。
【図９】一実施例によるチャネル構造の概略図を示す。
【図１０】一実施例によるチャネル構造の概略図を示す。
【発明を実施するための形態】
【００７４】
例示的な実施形態を詳しく説明する前に、説明される実施例の基礎となる技術の理解を支援するために、無線通信システム及びモバイル通信デバイスの特定の一般的原理が、図１〜図３を参照して簡単に説明される。
【００７５】
図１に示されるような無線通信システム１００では、少なくとも１つの基地局、あるいは同様の無線送信及び／または受信を行うノードまたはポイントを介して、モバイル通信デバイスまたはユーザ機器（ＵＥ）１０２、１０４、１０５に無線アクセスが提供される。基地局は通常、基地局の動作、及び基地局と通信するモバイル通信デバイスの管理を可能にするために、少なくとも１つの好適なコントローラ装置により制御される。コントローラ装置は、無線アクセスネットワーク（例えば無線通信システム１００）内またはコアネットワーク（ＣＮ）（図示せず）内に配置され得、１つの中央装置として実施され得る、またはその機能がいくつかの装置に分散され得る。コントローラ装置は、基地局の一部であり、及び／または無線ネットワークコントローラなどの別個のエンティティにより提供され得る。図１では、制御装置１０８及び１０９は、それぞれのマクロレベル基地局１０６及び１０７を制御することが示される。基地局の制御装置は、他の制御エンティティと相互接続され得る。制御装置には通常、メモリ容量及び少なくとも１つのデータプロセッサが設けられる。制御装置及び機能は、複数の制御ユニット間に分散され得る。いくつかのシステムでは、制御装置は、無線ネットワークコントローラに、付加的または代替的に提供され得る。
【００７６】
図１では、基地局１０６及び１０７は、ゲートウェイ１１２を介してより広い通信ネットワーク１１３に接続されていることが示される。別のネットワークに接続するために、さらなるゲートウェイ機能が提供されてもよい。
【００７７】
また、より小型の基地局１１６、１１８、及び１２０は、例えば別個のゲートウェイ機能により、及び／またはマクロレベルの局のコントローラを介して、ネットワーク１１３に接続され得る。基地局１１６、１１８、及び１２０は、ピコまたはフェムトレベルの基地局などであり得る。当実施例では、局１１６及び１１８は、ゲートウェイ１１１を介して接続され、一方、局１２０は、コントローラ装置１０８を介して接続する。いくつかの実施形態では、より小型の局は設けられない場合がある。より小型の基地局１１６、１１８、及び１２０は、第２のネットワーク、例えばＷＬＡＮの一部分であり得、ＷＬＡＮ  Ａｐであり得る。
【００７８】
通信デバイス１０２、１０４、１０５は、符号分割多元接続（ＣＤＭＡ）、または広帯域ＣＤＭＡ（ＷＣＤＭＡ）などの様々なアクセス技術に基づいて、通信システムにアクセスし得る。他の非限定的な例として、時分割多元接続（ＴＤＭＡ）、周波数分割多元接続（ＦＤＭＡ）、及びその様々なスキーム、例えばインターリーブ周波数分割多元接続（ＩＦＤＭＡ）、シングルキャリア周波数分割多元接続（ＳＣ−ＦＤＭＡ）及び直交周波数分割多元接続（ＯＦＤＭＡ）、並びに空間分割多元接続（ＳＤＭＡ）などが挙げられる。
【００７９】
無線通信システムの例として、第３世代パートナーシッププロジェクト（３ＧＰＰ）により規格化されたアーキテクチャが挙げられる。最新の３ＧＰＰベースの開発は、ユニバーサル移動体通信システム（ＵＭＴＳ）無線アクセス技術のロングタームエボリューション（ＬＴＥ）と称されることが多い。３ＧＰＰ仕様の様々な開発段階は、リリースと称される。ＬＴＥの最近の開発は、ＬＴＥアドバンスト（ＬＴＥ−Ａ）と称されることが多い。ＬＴＥ（ＬＴＥ−Ａ）は、進化型ユニバーサル地上無線アクセスネットワーク（Ｅ−ＵＴＲＡＮ）として知られている無線モバイルアーキテクチャと、進化型パケットコア（ＥＰＣ）として知られているコアネットワークとを採用する。このようなシステムの基地局は、進化型または拡張型ノードＢ（ｅＮＢ）として知られており、ユーザプレーンのパケットデータコンバージェンス／無線リンク制御／媒体アクセス制御／物理層プロトコル（ＰＤＣＰ／ＲＬＣ／ＭＡＣ／ＰＨＹ）、及び制御プレーンの無線リソース制御（ＲＲＣ）プロトコル終端などのＥ−ＵＴＲＡＮ機能を、通信デバイスに向けて提供する。無線アクセスシステムの他の例として、無線ローカルエリアネットワーク（ＷＬＡＮ）及び／またはＷｉＭａｘ（マイクロ波アクセスの世界的相互運用性）などの技術に基づくシステムの基地局により提供されるものが挙げられる。基地局は、セル全体または同様の無線サービスエリアのカバレッジを提供することができる。コアネットワーク要素には、モビリティ管理エンティティ（ＭＭＥ）、サービングゲートウェイ（Ｓ−ＧＷ）、及びパケットゲートウェイ（Ｐ−ＧＷ）が含まれる。
【００８０】
好適な通信システムの例として、５ＧまたはＮＲの概念が挙げられる。ＮＲのネットワークアーキテクチャは、ＬＴＥアドバンストのネットワークアーキテクチャと類似し得る。ＮＲシステムの基地局は、次世代ノードＢ（ｇＮＢ）として知られ得る。ネットワークアーキテクチャに加えられる変更は、様々な無線技術及びより細かいＱｏＳサポートに対応する必要性、並びに、例えばユーザ視点のＱｏＥに対応するＱｏＳレベルに関するいくつかのオンデマンド要件に依存し得る。また、ネットワークアウェアサービス及びアプリケーション、並びにサービス及びアプリケーションアウェアネットワークは、アーキテクチャに変更をもたらし得る。これらは、情報指向ネットワーク（ＩＣＮ）手法、及びユーザ指向コンテンツ配信ネットワーク（ＵＣ−ＣＤＮ）手法に関連する。ＮＲは、多入力多出力（ＭＩＭＯ）アンテナ、ＬＴＥよりもはるかに多い基地局またはノード（いわゆる小型セル概念）を使用し、これは、より小型の局と連携して動作するマクロサイトを含み、また恐らく、より良いカバレッジ及びデータレート向上のために様々な無線技術を採用し得る。
【００８１】
将来のネットワークは、ネットワーク機能の仮想化（ＮＦＶ）を利用し得、これは、ネットワークノード機能を、サービスを提供するために動作的に接続または共にリンクされ得る「ビルディングブロック」またはエンティティに仮想化することを提案するネットワークアーキテクチャ概念である。仮想化ネットワーク機能（ＶＮＦ）は、カスタマイズされたハードウェアの代わりに標準または汎用タイプのサーバを使用して、コンピュータプログラムコードを実行する１つ以上の仮想マシンを備え得る。クラウドコンピューティングまたはデータストレージも利用され得る。これは、無線通信では、ノード動作は、遠隔無線ヘッドに動作的に接続されたサーバ、ホスト、またはノードで少なくとも部分的に実行されることを意味し得る。ノード動作が、複数のサーバ、ノード、またはホストに分散されることも可能である。また、コアネットワーク動作と基地局動作との労働分配は、ＬＴＥの場合とは異なり得る、または存在さえし得ないことを、理解されたい。
【００８２】
例示的な実施形態５Ｇコアネットワーク（ＣＮ）は、機能エンティティを含む。ＣＮは、無線アクセスネットワーク（ＲＡＮ）を介してＵＥに接続される。ＰＳＡ（ＰＤＵセッションアンカー）と称される役割を担うＵＰＦ（ユーザプレーン機能）は、ＤＮ（データネットワーク）と、５Ｇを介してＤＮとトラフィックを交換するＵＥ（複数可）に向けて確立されたトンネルとの間で、フレームを前後に転送する役割を果たし得る。
【００８３】
ＵＰＦは、ＰＣＦ（ポリシー制御機能）からポリシーを受信するＳＭＦ（セッション管理機能）により制御される。ＣＮは、ＡＭＦ（アクセス及びモビリティ機能）も含み得る。
【００８４】
ここで、通信デバイス２００の概略的な部分断面図を示す図２を参照して、可能なモバイル通信デバイスがさらに詳しく説明される。このような通信デバイスは、多くの場合、ユーザ機器（ＵＥ）または端末と称される。無線信号を送受信できる任意のデバイスにより、好適なモバイル通信デバイスが提供され得る。非限定的な例として、携帯電話もしくは「スマートフォン」として知られるような移動局（ＭＳ）もしくはモバイルデバイス、無線インターフェースカードもしくは他の無線インターフェース設備（例えばＵＳＢドングル）が設けられたコンピュータ、無線通信機能を備えたパーソナルデータアシスタント（ＰＤＡ）もしくはタブレット、またはこれらの任意の組み合わせなどが挙げられる。モバイル通信デバイスは、例えば、音声、電子メール（ｅメール）、テキストメッセージ、マルチメディアなどの通信を伝達するためのデータ通信を提供し得る。従って、ユーザの通信デバイスを介して、多数のサービスがユーザに提案及び提供され得る。これらのサービスの非限定的な例として、双方向もしくは多方向通話、データ通信もしくはマルチメディアサービス、または単に、インターネットなどのデータ通信ネットワークシステムへのアクセスが挙げられる。ブロードキャストまたはマルチキャストデータも、ユーザに提供され得る。コンテンツの非限定的な例として、ダウンロード、テレビ及びラジオ番組、映像、広告、様々な警報、並びに他の情報が挙げられる。
【００８５】
モバイルデバイスは、通常、ソフトウェア及びハードウェアによるタスクの実行に使用するための、少なくとも１つのデータ処理エンティティ２０１、少なくとも１つのメモリ２０２、及び他の可能な構成要素２０３を備え、モバイルデバイスは、アクセスシステム及び他の通信デバイスへのアクセス及び通信の制御を含むタスクを実行するように設計される。データ処理、ストレージ、及び他の関連する制御装置は、好適な回路基板上に、及び／またはチップセット内に提供され得る。この特徴は、参照番号２０４で示される。ユーザは、キーパッド２０５、音声コマンド、タッチ感応画面もしくはパッド、またはこれらの組み合わせなどの好適なユーザインターフェースにより、モバイルデバイスの動作を制御し得る。ディスプレイ２０８、スピーカ、及びマイクロフォンも提供され得る。さらに、モバイル通信デバイスは、他のデバイスに接続するための、及び／または例えばハンズフリー機器などの外部アクセサリをモバイル通信デバイスに接続するための、好適なコネクタ（有線または無線）を備え得る。
【００８６】
モバイルデバイス２００は、エアインターフェースすなわち無線インターフェース２０７経由で、受信に好適な装置を介して信号を受信し得、無線信号の送信に好適な装置を介して信号を送信し得る。図２では、送受信装置が、ブロック２０６により概略的に示される。送受信装置２０６は、例えば無線部品及び関連するアンテナ配列により、提供され得る。アンテナ配列は、モバイルデバイスの内部または外部に配置され得る。
【００８７】
図３は、通信システムのための制御装置の例を示し、例えばこれは、ＲＡＮノードなどのアクセスシステムの局、例えば基地局、ｅＮＢもしくはｇＮＢ、またはＭＭＥもしくはＳ−ＧＷもしくはＰ−ＧＷなどの中継ノードもしくはコアネットワークノード、またはＡＭＦ／ＳＭＦなどのコアネットワーク機能、またはサーバもしくはホストに接続され、及び／またはこれらを制御する。方法は、単一の制御装置に、または複数の制御装置にわたり実装され得る。制御装置は、コアネットワークまたはＲＡＮのノードまたはモジュールと統合され得る、またはその外部に存在し得る。いくつかの例示的な実施形態では、基地局は、別個の制御装置ユニットまたはモジュールを備える。別の例示的な実施形態では、制御装置は、無線ネットワークコントローラまたはスペクトルコントローラなどの別のネットワーク要素であり得る。いくつかの例示的な実施形態では、各基地局は、このような制御装置、並びに無線ネットワークコントローラに設けられた制御装置を有し得る。制御装置３００は、システムのサービスエリア内の通信を制御するように配置され得る。制御装置３００は、少なくとも１つのメモリ３０１と、少なくとも１つのデータ処理ユニット３０２、３０３と、入出力インターフェース３０４とを備える。インターフェースを介して、制御装置は、基地局の受信器及び送信器に接続され得る。受信器及び／または送信器は、無線フロントエンドまたは遠隔無線ヘッドとして、実装され得る。
【００８８】
ＬＴＥ  Ｖ２Ｘサイドリンクは、ＬＴＥリリース１４において、車両と車両／歩行者／インフラストラクチャとの間の基本的な交通安全サービス（例えば位置、速度、及び進行方向などの車両状態情報）の直接通信に対応することが定義されている。ＬＴＥリリース１５では、Ｖ２Ｘサイドリンクは、キャリアアグリゲーション、高次変調、及び遅延削減の機能がさらに強化され、より多様なサービス及びより厳しいサービス要件に対応する。
【００８９】
ＬＴＥ  Ｖ２Ｘリリース１４／１５では、関与する物理チャネルには、制御メッセージ用及びデータトラフィック用に、物理サイドリンク制御チャネル（ＰＳＣＣＨ）及び物理サイドリンク共有チャネル（ＰＳＳＣＨ）がそれぞれ含まれる。ＬＴＥ  Ｖ２Ｘ設計では、ＰＳＣＣＨ及び関連ＰＳＳＣＨは、図４に示されるように、非重複（隣接または非隣接）周波数リソースを使用して、同じ時間リソースにわたり送信される。ＰＳＣＣＨの制御チャネルは、少なくとも、関連ＰＳＳＣＨを復号化するのに必要な情報を伝達する。ＰＳＣＣＨは、次の周期のリソース予約を示し得、これにより、周期的Ｖ２Ｘトラフィックの効率的なリソース割り当てが促進される。ただし、リソース予約の場合でも、例えばチャネル占有率（ＣＲ）／チャネルビジー率（ＣＢＲ）測定による輻輳制御が原因で、次の周期のＶ２Ｘ送信が行われない場合がある。
【００９０】
ＬＴＥ  Ｖ２Ｘリリース１４／１５では、可能な限りリソース選択の衝突を回避するために、Ｖ２Ｘサイドリンクモード４（すなわちＵＥ自律リソース選択モード）で、センシングベースのリソース（再）選択及び予約が適用される。
【００９１】
ＵＥが送信パケットを有し、ＭＡＣがＰＨＹ層に候補リソース選択を行ってＭＡＣにリソース選択を報告するように命令すると、ＵＥは、チャネルセンシング結果に基づいて、候補リソース部分集合選択手順を実行し、センシングＵＥは、センシングされたＵＥのＰＳＣＣＨを復号化して、パケット優先度、リソース予約情報、及び制御ＣＲＣビットなどの情報を取得する（関連ＰＳＳＣＨのＤＭＲＳを特定するために）。センシングＵＥは、候補リソースを除外するかどうかを判定するために、ＰＳＳＣＨの基準信号受信電力（ＲＳＲＰ）の測定を実行する。ＵＥは、エネルギー測定値（サイドリンク受信信号強度インジケータ（Ｓ−ＲＳＳＩ））に基づいて、残っているリソースをランク付けし、エネルギー測定値が最小の候補リソースを報告する。
【００９２】
制御／データチャネル構造並びにチャネルセンシング及び予約による半永続伝搬（ＳＰＴ）機構の既存のＬＴＥ  Ｖ２Ｘ設計は、周期的Ｖ２Ｘトラフィックに適合されている。しかし、ＮＲ  Ｖ２Ｘでは、周期的Ｖ２Ｘトラフィック及び非周期的Ｖ２Ｘトラフィックの両方を含むより多様なＶ２Ｘトラフィックタイプが存在し得る。
【００９３】
スペクトル効率のために、周期的及び非周期的なＶ２Ｘトラフィックタイプが、同じリソースプールに共存し得る。制御／データチャネル構造及びＳＰＴ機構のＬＴＥ  Ｖ２Ｘ設計は、非周期的Ｖ２Ｘトラフィックに対しては、その非周期的な性質による予測不可能な干渉が原因で、上手く機能できない。
【００９４】
下記は、新たな物理チャネル構造及び機構を提供することを目的とする。具体的には、非周期的Ｖ２Ｘトラフィック及び周期的Ｖ２Ｘトラフィックに柔軟に対応し得る統合されたサイドリンク物理チャネル構造及び機構が提供される。
【００９５】
図５は、統合されたサイドリンク物理チャネル構造を提供するために使用され得る方法を示す。
【００９６】
第１のステップＳ１にて、方法は、第１の制御チャネルを使用して第１の制御情報を提供することを備え、第１の制御情報は、少なくとも、関連データチャネルのリソース予約のインジケーションを備える。
【００９７】
第２のステップＳ２にて、方法は、第２の制御チャネルを使用して少なくとも第２の制御情報を提供することを備え、第２の制御情報は、関連データチャネルの少なくとも送信フォーマット情報を備える。
【００９８】
関連データチャネルは、周期的または非周期的なデータトラフィックを備える。
【００９９】
方法は、ユーザ機器により実行され得る。
【０１００】
図６は、統合されたサイドリンク物理チャネル構造を提供するために使用され得る方法を示す。方法は、ユーザ機器またはネットワークエンティティにより実行され得る。
【０１０１】
第１のステップＴ１にて、方法は、第１の制御チャネルを使用して第１の制御情報を受信することを備え、第１の制御情報は、少なくとも関連データチャネルのリソース予約のインジケーションを備える。
【０１０２】
第２のステップＴ２にて、方法は、第２の制御チャネルを使用して少なくとも第２の制御情報を受信することを備え、第２の制御情報は、少なくとも関連データチャネルの送信フォーマット情報を備える。
【０１０３】
関連データチャネルは、周期的または非周期的なデータトラフィックを備える。
【０１０４】
図５及び図６を参照して説明される方法は、周期的トラフィックタイプ及び非周期的トラフィックタイプのスケジュール割り当て及びリソース割り当ての効率的な物理データチャネル動作を支援する統合されたサイドリンク物理制御チャネル設計を提供し得る。
【０１０５】
第１の制御情報及び第２の制御情報は、サイドリンク制御情報を備え得る。
【０１０６】
図５及び図６を参照して説明される方法では、サイドリンク制御情報（ＳＣＩ）は、第１の制御情報及び第２の制御情報（ＳＣＩ−１及びＳＣＩ−２とそれぞれ称される）の２つの部分に分割される。
【０１０７】
第１の制御情報及び第２の制御情報は、第１の制御チャネル（ＰＳＣＣＨフォーマット１）及び第２の制御チャネル（ＰＳＣＣＨフォーマット２）をそれぞれ使用して伝達（提供）される。第１の制御チャネル及び第２の制御チャネルは、ＰＳＣＣＨ−１及びＰＳＣＣＨ−２により示され得る。このサイドリンク物理制御チャネル設計は、周期的トラフィック及び非周期的トラフィックの両方で、関連物理サイドリンク共有チャネル（ＰＳＳＣＨ）のデータ復号化及びリソース割り当てを支援し得る。
【０１０８】
チャネルＰＳＣＣＨ−１は、データを伝達するＰＳＳＣＨのリソース割り当て及び／または予約、すなわち関連データチャネルのリソース予約のインジケーションに使用され得る。
【０１０９】
周期的トラフィックの場合、ＰＳＣＣＨ−１は、現在の周期の関連ＰＳＳＣＨのリソース割り当て及び／または次の周期のリソース予約を示す。
【０１１０】
非周期的トラフィックの場合、ＰＳＣＣＨ−１は、その関連ＰＳＳＣＨのリソース割り当てを示す。
【０１１１】
チャネルＰＳＣＣＨ−２は、可能性のある再送信を含む、関連ＰＳＳＣＨのデータ復号化を支援するために使用され得る、すなわち、関連データチャネルの送信フォーマット情報を備え得る。ＰＳＣＣＨ−２は、ＦＤＭ（ＬＴＥ  Ｒ１４／１５のＰＳＣＣＨ／ＰＳＳＣＨと同様）で、または（ＴＴＩ内）ＴＤＭ（ＮＲ  Ｒ１５のＮＲ−ＰＤＣＣＨ／ＰＤＳＣＨと同様）で、関連ＰＳＳＣＨと多重化され得る。
【０１１２】
ＳＣＩは、ＳＣＩ−１とＳＣＩ−２に排他的に分割される。すなわち、ＳＣＩ−１及びＳＣＩ−２は、異なるサイドリンク制御情報を備える。ＳＣＩ−１は、第１の制御チャネルにより伝達され、一方、第２の制御チャネルは、ＳＣＩ−２のみを伝達し得る、またはＳＣＩ−１及びＳＣＩ−２の両方を伝達し得る。すなわち、方法は、第２の制御チャネルを使用して第１の制御情報及び第２の制御情報を提供することを備え得る。この場合、第２の制御チャネルは、関連する全てのサイドリンク制御情報を伝達する。
【０１１３】
第２の制御チャネルがＳＣＩ−２のみを備えるとき、受信器は、データパケットのＰＳＳＣＨを復号化する前に、ＰＳＣＣＨ−１及びＰＳＣＣＨ−２の両方を復号化する。
【０１１４】
第２の制御チャネルがＳＣＩ−１及びＳＣＩ−２の両方を伝達する事例では、受信器は、少なくともＰＳＣＣＨ−２を最初に復号化する場合、データパケットのＰＳＳＣＨを復号化し得る。
【０１１５】
第１の制御情報及び第２の制御情報のうちの少なくとも１つは、関連データチャネルのデータパケット再送情報及び復調参照構成情報のうちの少なくとも１つを備え得る。
【０１１６】
例示的な実施形態では、ＰＳＣＣＨ−１は、伝達するＳＣＩ−１及びＤＭＲＳを備える。ＰＳＣＣＨ−１は、ＰＳＣＣＨ−１チャネルの特定の設計に応じて、情報を明示的に（例えばＳＣＩ−１に含まれる情報）、または情報を暗示的に（例えば異なるＤＭＲＳシーケンスを介して示される情報）、伝達し得る。
【０１１７】
ＰＳＣＣＨ−１は、リソース割り当て／予約情報を示すＳＣＩ−１を伝達し得る。
【０１１８】
第１の制御情報は、データ周期性のインジケーション、サービス品質要件を示すデータパケット情報、リソース予約情報、及びリソース割り当て情報のうちの少なくとも１つを備える。
【０１１９】
すなわち、ＳＣＩ−１は、優先度、レイテンシ要件、及び信頼性要件のうちの１つ以上を含むパケットＱｏＳ関連情報などのサイドリンク制御情報要素を含み得る。例えば、パケットＱｏＳ関連情報は、関連データパケットの優先度レベルを示す３ビットのパケット優先度を備え得る。
【０１２０】
ＳＣＩ−１は、０が周期的トラフィックを示し、１が単発の非周期的トラフィックを示す、例えば１ビットの周期性のインジケーションを備え得る。
【０１２１】
ＳＣＩ−１は、例えば割り当てられたサブチャネルの数といった周波数におけるリソース割り当てを示す、例えば７ビットのリソース割り当て情報のインジケーションを備え得る。
【０１２２】
ＰＳＣＣＨ−１は、周期性トラフィックの関連データの存在を示す情報を伝送し得る。これは、現在の周期では関連データは存在しないが、ＵＥは次の周期の周期的リソース予約の維持を所望することを示す場合がある。ＰＳＣＣＨ−１は、例えば宛先アドレスの一部またはタイプを示す２ビットなど、宛先アドレスの一部またはタイプのうちの少なくとも１つを伝送し得、これにより、受信器が関連データの復号化を進めるかどうかを判定し、非対象受信器が複雑な受信を行うことを軽減することが可能となる。
【０１２３】
ＰＳＣＣＨ−１は、ＰＳＣＣＨ−２のＤＭＲＳに関する情報を備え得る。例えば、ＰＳＣＣＨ−１で使用されるＤＭＲＳ情報により暗示的に伝達される。
【０１２４】
ＰＳＣＣＨ−２は、関連ＰＳＳＣＨの送信フォーマットを示すＳＣＩ−２を伝達し得る。
【０１２５】
第２の制御情報は、変調及び符号化方式（ＭＣＳ）情報、マルチアンテナ送信関連情報、及び宛先アドレス情報のうちの少なくとも１つを備える。
【０１２６】
ＳＣＩ−２は、関連ＰＳＳＣＨデータパケットに使用されるＭＣＳインデックスを示す例えば５ビットの変調及び符号化方式情報（ＭＣＳ）を備え得る。
【０１２７】
ＳＣＩ−２は、再送信情報、例えば再送信インデックス及び時間／周波数リソースを備え得る。
【０１２８】
ＰＳＣＣＨ−２は、例えば層数などのマルチアンテナ送信関連情報を示すＭＩＭＯ関連情報を伝送し得る。
【０１２９】
ＰＳＣＣＨ−２は、ユニキャスト／グループキャスト／ブロードキャストに対応する宛先アドレスの少なくとも一部、例えば８ビットを伝送し得る。
【０１３０】
ＰＳＣＣＨ−２は、関連ＰＳＳＣＨのＤＭＲＳ情報を含み得る。この情報は、暗示的または明示的に伝送され得る。
【０１３１】
方法は、関連データチャネルが周期的データトラフィックを備え、かつ、現在の周期にデータ送信がないとき、現在の周期におけるデータ送信の不在のインジケーションを備える第１の制御情報を、第１の制御チャネルを使用して提供することを備え得る。すなわち、周期的トラフィックタイプのＰＳＳＣＨでは、前の周期でリソース予約が行われたが、現在の周期にデータ送信がない場合（例えば輻輳制御が原因で）、ＵＥは、当周期に関連データが不在であることを示すＰＳＣＣＨ−１のみを送信し、次の周期のリソースを予約し得る。
【０１３２】
方法は、関連データチャネルが周期的データトラフィックを備え、かつ、現在の周期にデータ送信があるとき、関連データチャネルと共に、第２の制御チャネルまたは第１の制御チャネル及び第２の制御チャネルを提供することを備え得る。すなわち、前の周期にリソース予約が行われ、現在の周期にデータ送信がある場合、ＵＥは、ＰＳＣＣＨ−１とＰＳＣＣＨ−２とＰＳＳＣＨとを送信する、またはＰＳＣＣＨ−２とＰＳＳＣＨとを送信する（第２のチャネルを使用して第１の制御情報及び第２の制御情報が送信される）。ＰＳＣＣＨ−１は、ＦＤＭで関連ＰＳＳＣＨと多重化され得、ＰＳＣＣＨ−２は、ＦＤＭ及び／または（ＴＴＩ内）ＴＤＭで関連ＰＳＳＣＨと多重化され得る。
【０１３３】
図７及び図８は、周期的Ｖ２Ｘトラフィックに対して提案される制御チャネル構造の実施例を示す。
【０１３４】
図７及び図８に示される実施例では、ＰＳＣＣＨ−１は、データパケットタイプが周期的であることを示し、これにより、表１で指定される時間のリソース予約の情報欄の解釈が特定される。
【０１３５】
図７に示される実施例では、ＳＣＩ情報は、ＳＣＩ−１とＳＣＩ−２に排他的に分割される（すなわちこれらは異なる制御情報を有する）。ＰＳＣＣＨ−１は、周期的トラフィック、リソース予約周期、及び現在のＴＴＩにおける関連ＰＳＣＣＨ−２／ＰＳＳＣＨの存在または不在を示す。
【０１３６】
図８に示される実施例では、ＰＳＣＣＨ−２は、ＳＣＩ−１並びにＳＣＩ−２を伝達する。すなわち、ＰＳＣＣＨ−２は、少なくともリソース予約情報及び送信フォーマット情報を含む全てのサイドリンク制御情報を伝達する。ＰＳＣＣＨ−１は、周期的トラフィック、リソース予約周期、及び現在のＴＴＩにおける関連ＰＳＣＣＨ−２／ＰＳＳＣＨの不在を示す。
【０１３７】
周期的トラフィックであっても、ＣＲ／ＣＢＲの測定に基づく輻輳制御の理由などにより、ＵＥは、ある特定の周期のパケット送信を放棄する場合がある。この場合、ＵＥは、ＰＳＣＣＨ−１を送信して、次の周期のリソース予約を示す。これは、他のＵＥが、周期的リソースにわたるＳ−ＲＳＳＩの長期エネルギー測定に依存してそのリソースを除外するのではなく、リソース予約を認識できることから、他のＵＥのチャネルセンシング及びリソース選択に有益であり得る。ＰＳＣＣＨ−１は限られたリソースしか占有しないため（例えば１つのスロットに１つのＰＲＢ）、ＰＳＣＣＨ−１がサイドリンク送信（存在する場合）にもたらす干渉は制限され得る。
【０１３８】
方法は、関連データチャネルが非周期的データトラフィックを備えるとき、時間リソースにおいて関連データチャネルに先行して第１の制御チャネルを提供することを備え得る。
【０１３９】
すなわち、非周期的トラフィックのＰＳＳＣＨの場合、ＵＥは、ＰＳＣＣＨ−１とＰＳＣＣＨ−２と関連ＰＳＳＣＨとを送信し、ＰＳＣＣＨ−１は、時間領域でＰＳＣＣＨ−２及びＰＳＳＣＨに先行し、ＰＳＣＣＨ−２は、ＦＤＭ及び／または（ＴＴＩ内）ＴＤＭで関連ＰＳＳＣＨと多重化され得る。
【０１４０】
ＰＳＣＣＨ−１は、関連ＰＳＳＣＨのリソース割り当てを示す。ＰＳＳＣＨにより伝達される関連データの前にＰＳＣＣＨ−１が送信されると、優先度の高い送信データを有するＵＥは、ＰＳＣＣＨ−１を使用して、他のＵＥの低優先度のデータ送信を阻止し、他のＵＥがリソース再選択を行うように、またはそれらの送信を放棄するようにトリガーし得る。
【０１４１】
図９及び図１０は、非周期的Ｖ２Ｘトラフィックでの使用が提案される制御チャネル構造の実施例を示す。非周期的パケット（例えばイベント駆動型単発送信パケット）が送信のために上位層からＭＡＣ／ＰＨＹ層に到着すると、利用可能なチャネルセンシング結果及びパケットのレイテンシ要件に基づいて、ＵＥは、パケット（すなわち灰色の長方形で示されたパケット）の送信用のサイドリンクリソース（複数可）を選択する。他のＵＥ（周期的または非周期的トラフィックを有する）がこのリソースを使用することを防ぐために、ＵＥは、選択したリソースの前にＰＳＣＣＨ−１を送信して、リソース予約を示す。ＰＳＣＣＨ−１は、パケットＱｏＳ関連情報も伝送し、他のＵＥは、当該情報を、自分のリソース選択／プリエンプション関連動作に考慮し得ることに、留意されたい。
【０１４２】
ＰＳＣＣＨ−１は、非周期的トラフィックのパケットタイプを示し、これにより、表１で指定される時間のリソース予約の情報欄の解釈が特定される。
【０１４３】
図９では、ＳＣＩ情報は、排他的にＳＣＩ−１とＳＣＩ−２に分配され（すなわちこれらは異なる制御情報を含む）、これらは、ＰＳＣＣＨ−１とＰＳＣＣＨ−２によりそれぞれ伝送される。この場合、図に示されるように、ＰＳＳＣＨのＴＴＩ内のＰＳＣＣＨ−１の位置に対応するリソースは、未使用のままにされ得る。これにより、他のＵＥからの他のＰＳＣＣＨ−１送信が促進され得る。
【０１４４】
図１０では、ＰＳＣＣＨ−２は、ＳＣＩ−１並びにＳＣＩ−２を伝達する。すなわち、ＰＳＣＣＨ−２は、少なくともリソース予約情報及び送信フォーマット情報を含む全てのサイドリンク制御情報を伝達する。この構成の利点は、受信器は、ＰＳＣＣＨ−１の送信を見逃した場合でも、ＰＳＣＣＨ−２に基づいて尚もＰＳＳＣＨを復号化できることである。
【０１４５】
時間のリソース予約の構成例が、表１に示される。ＴＵは、例えばスロット、ＴＴＩ、またはサブフレームなどの時間単位を示すことに、留意されたい。
【表１】
2022502916.tif 000003
【０１４６】
送信及び／または受信に使用される、あるいは送信及び／または受信用である、無線部または無線ヘッドなどの他のユニットまたはモジュールなどを、装置は備え得る、またはそれらに接続され得ることを、理解されたい。装置は１つのエンティティとして説明されたが、異なるモジュール及びメモリが、１つ以上の物理エンティティまたは論理エンティティに実装されてもよい。
【０１４７】
例示的な実施形態が説明されたが、同様の原理を、周期的及び非周期的なデータ送信に対応する他のネットワーク及び通信システムに関連して適用することができることに、留意されたい。従って、無線ネットワーク、技術、及び規格の特定の例示的なアーキテクチャを参照して、特定の実施形態が例として上記で説明されたが、実施形態は、本明細書で例示され説明される通信システムとは異なる任意の好適な形態の通信システムに、適用されてもよい。
【０１４８】
上記では例示的な実施形態が説明されたが、本発明の範囲から逸脱することなく、開示された解決策に対していくつかの変形及び変更が行われてもよいことも、本明細書では留意されたい。
【０１４９】
通常、様々な例示的な実施形態は、ハードウェアもしくは専用回路、ソフトウェア、ロジック、またはこれらの任意の組み合わせで実施され得る。本発明のいくつかの態様は、ハードウェアで実施され得、一方他の態様は、コントローラ、マイクロプロセッサ、または他のコンピューティングデバイスにより実行され得るファームウェアまたはソフトウェアで実施され得るが、本発明はこれらに限定されない。本発明の様々な態様が、ブロック図、フローチャートとして、またはある他の図的表現を用いて、例示され説明され得るが、本明細書に説明されるこれらのブロック、装置、システム、技術、または方法は、非限定的な例として、ハードウェア、ソフトウェア、ファームウェア、専用回路もしくはロジック、汎用ハードウェアもしくはコントローラもしくは他のコンピューティングデバイス、またはこれらのある組み合わせで、実施され得ることが、よく理解されよう。
【０１５０】
本発明の例示的実施形態は、プロセッサエンティティ内などのモバイルデバイスのデータプロセッサが実行可能なコンピュータソフトウェアにより、またはハードウェアにより、またはソフトウェアとハードウェアの組み合わせにより、実施され得る。ソフトウェアルーチン、アプレット、及び／またはマクロを含む、プログラム製品とも称されるコンピュータソフトウェアまたはプログラムは、任意の装置可読データ記憶媒体に格納され得、これらは、特定のタスクを実行するためのプログラム命令を備える。コンピュータプログラム製品は、プログラムが実行されると例示的な実施形態を遂行するように構成された１つ以上のコンピュータ実行可能構成要素を備え得る。１つ以上のコンピュータ実行可能構成要素は、少なくとも１つのソフトウェアコードまたはその一部であり得る。
【０１５１】
さらに、これに関して、図における論理フローのいずれのブロックも、プログラムステップまたは相互接続された論理回路、ブロック、及び機能、あるいはプログラムステップと論理回路、ブロック、及び機能の組み合わせを表し得ることに、留意されたい。ソフトウェアは、プロセッサ内に実装されたメモリチップまたはメモリブロックなどの物理媒体、ハードディスクまたはフロッピディスクなどの磁気媒体、及び例えばＤＶＤ及びそのデータ変形形態、ＣＤなどの光学媒体に、格納され得る。物理媒体は、非一時的媒体である。
【０１５２】
メモリは、ローカル技術環境に好適な任意のタイプであり得、半導体ベースのメモリデバイス、磁気メモリデバイス及びシステム、光学メモリデバイス及びシステム、固定メモリ、並びに着脱可能メモリなど、任意の好適なデータストレージ技術を使用して実施され得る。データプロセッサは、ローカル技術環境に好適な任意のタイプであり得、非限定的な例として、汎用コンピュータ、専用コンピュータ、マイクロプロセッサ、デジタル信号プロセッサ（ＤＳＰ）、特定用途向け集積回路（ＡＳＩＣ）、ＦＰＧＡ、ゲートレベル回路、及びマルチコアプロセッサアーキテクチャに基づくプロセッサのうちの１つ以上を含み得る。
【０１５３】
本発明の例示的な実施形態は、集積回路モジュールなどの様々な構成要素で実施され得る。集積回路の設計は、概して高度に自動化されたプロセスである。論理レベル設計を、半導体基板にエッチングして形成する準備のできた半導体回路設計に変換するために、複雑で処理能力の高いソフトウェアツールを利用することができる。
【０１５４】
前述の説明は、非限定的な例として、本発明の例示的な実施形態の完全かつ有益な説明を提供した。しかし、前述の説明に照らして、添付の図面及び添付の特許請求の範囲と併せて読むと、様々な変更形態及び適合形態が、当業者には明らかとなり得る。ただし、本発明の教示のこのような変更形態及び同様の変更形態は全て、添付の特許請求の範囲で定義される本発明の範囲内に尚も含まれる。実際に、１つ以上の例示的な実施形態と、前述の他の例示的な実施形態のうちのいずれかとの組み合わせを含むさらなる例示的な実施形態が存在する。
【図１】
2022502916.tif 000004
【図２】
2022502916.tif 000005
【図３】
2022502916.tif 000006
【図４】
2022502916.tif 000007
【図５】
2022502916.tif 000008
【図６】
2022502916.tif 000009
【図７】
2022502916.tif 000010
【図８】
2022502916.tif 000011
【図９】
2022502916.tif 000012
【図１０】
2022502916.tif 000013
【手続補正書】
【提出日】令和3年3月24日(2021.3.24)
【手続補正１】
【補正対象書類名】特許請求の範囲
【補正対象項目名】全文
【補正方法】変更
【補正の内容】
【特許請求の範囲】
【請求項１】
装置であって、
少なくとも１つのプロセッサと、
コンピュータプログラムコードを含む少なくとも１つのメモリであって、前記少なくとも１つのメモリ及び前記コンピュータプログラムコードは、前記少なくとも１つのプロセッサと共に、前記装置に少なくとも、
第１のサイドリンク制御チャネルを使用して第１のサイドリンク制御情報を、及び、第２のサイドリンク制御チャネルを使用して少なくとも第２のサイドリンク制御情報を提供することであって、前記第１のサイドリンク制御情報は、少なくとも、関連物理サイドリンク共有チャネルのリソース割り当てのインジケーションを備え、データトラフィックは、前記関連物理サイドリンク共有チャネルを介して送信され、前記第２のサイドリンク制御情報は、少なくとも、前記関連物理サイドリンク共有チャネルを復号化するための情報を備えること
を実行させるように構成される、メモリと、
を備える、装置。
【請求項２】
前記少なくとも１つのメモリ及び前記コンピュータプログラムコードはさらに、前記少なくとも１つのプロセッサと共に、前記装置に少なくとも、
前記第２のサイドリンク制御チャネルを使用して、前記第１のサイドリンク制御情報及び前記第２のサイドリンク制御情報を提供すること
を実行させるように構成される、請求項１に記載の装置。
【請求項３】
前記関連物理サイドリンク共有チャネルは、周期的または非周期的なデータトラフィックを備え、前記第１のサイドリンク制御情報は、データ周期性のインジケーション及びサービス品質要件のうちの少なくとも１つを備える、請求項１に記載の装置。
【請求項４】
前記第２のサイドリンク制御情報は、変調及び符号化方式（ＭＣＳ）情報、マルチアンテナ送信関連情報、及び宛先アドレス情報のうちの少なくとも１つを備える、請求項１に記載の装置。
【請求項５】
前記第１のサイドリンク制御情報及び前記第２のサイドリンク制御情報のうちの少なくとも１つは、前記関連物理サイドリンク共有チャネルのデータパケット再送情報及び復調参照構成情報のうちの少なくとも１つを備える、請求項１に記載の装置。
【請求項６】
前記少なくとも１つのメモリ及び前記コンピュータプログラムコードはさらに、前記少なくとも１つのプロセッサと共に、前記装置に少なくとも、
前記関連物理サイドリンク共有チャネルが周期的データトラフィックを備え、かつ現在の周期にデータ送信がないとき、前記第１の制御チャネルを使用して前記第１のサイドリンク制御情報を提供することであって、前記第１のサイドリンク制御情報は、前記現在の周期におけるデータ送信不在のインジケーションを備えること
を実行させるように構成される、請求項１に記載の装置。
【請求項７】
前記少なくとも１つのメモリ及び前記コンピュータプログラムコードはさらに、前記少なくとも１つのプロセッサと共に、前記装置に少なくとも、
前記関連物理サイドリンク共有チャネルが周期的データトラフィックを備え、かつ現在の周期にデータ送信があるとき、前記関連物理サイドリンク共有チャネルと共に、前記第２の制御チャネル、または前記第１の制御チャネル及び前記第２の制御チャネルを提供すること、
を実行させるように構成される、請求項１に記載の装置。
【請求項８】
前記少なくとも１つのメモリ及び前記コンピュータプログラムコードはさらに、前記少なくとも１つのプロセッサと共に、前記装置に少なくとも、
前記関連物理サイドリンク共有チャネルが非周期的データトラフィックを備えるとき、時間リソースにおいて前記関連物理サイドリンク共有チャネルに先行して前記第１の制御チャネルを提供すること
を実行させるように構成される、請求項１に記載の装置。
【請求項９】
装置であって、
少なくとも１つのプロセッサと、
コンピュータプログラムコードを含む少なくとも１つのメモリであって、前記少なくとも１つのメモリ及び前記コンピュータプログラムコードは、前記少なくとも１つのプロセッサと共に、前記装置に少なくとも、
第１のサイドリンク制御チャネルを使用して第１のサイドリンク制御情報を、及び、第２のサイドリンク制御チャネルを使用して少なくとも第２のサイドリンク制御情報を受信することであって、前記第１のサイドリンク制御情報は、少なくとも、関連物理サイドリンク共有チャネルのリソース割り当てのインジケーションを備え、データトラフィックは、前記関連物理サイドリンク共有チャネルを介して送信され、前記第２のサイドリンク制御情報は、少なくとも、前記関連物理サイドリンク共有チャネルを復号化するための情報を備えること
を実行させるように構成される、メモリと、
を備える、装置。
【請求項１０】
前記少なくとも１つのメモリ及び前記コンピュータプログラムコードはさらに、前記少なくとも１つのプロセッサと共に、前記装置に少なくとも、
前記第２の制御チャネルを使用して、前記第１のサイドリンク制御情報及び前記第２のサイドリンク制御情報を受信すること
を実行させるように構成される、請求項９に記載の装置。
【請求項１１】
前記関連物理サイドリンク共有チャネルは、周期的または非周期的なデータトラフィックを備え、前記第１のサイドリンク制御情報は、データ周期性のインジケーション及びサービス品質要件のうちの少なくとも１つを備える、請求項９に記載の装置。
【請求項１２】
前記第２のサイドリンク制御情報は、変調及び符号化方式（ＭＣＳ）情報、マルチアンテナ送信関連情報、及び宛先アドレス情報のうちの少なくとも１つを備える、請求項９に記載の装置。
【請求項１３】
前記第１のサイドリンク制御情報及び前記第２のサイドリンク制御情報のうちの少なくとも１つは、前記関連物理サイドリンク共有チャネルのデータパケット再送情報及び復調参照構成情報のうちの少なくとも１つを備える、請求項９に記載の装置。
【請求項１４】
前記少なくとも１つのメモリ及び前記コンピュータプログラムコードはさらに、前記少なくとも１つのプロセッサと共に、前記装置に少なくとも、
前記関連物理サイドリンク共有チャネルが周期的データトラフィックを備え、かつ現在の周期にデータ送信がないとき、前記第１のサイドリンク制御チャネルを使用して前記第１のサイドリンク制御情報を受信することであって、前記第１のサイドリンク制御情報は、前記現在の周期におけるデータ送信不在のインジケーションを備えること
を実行させるように構成される、請求項９に記載の装置。
【請求項１５】
前記少なくとも１つのメモリ及び前記コンピュータプログラムコードはさらに、前記少なくとも１つのプロセッサと共に、前記装置に少なくとも、
前記関連物理サイドリンク共有チャネルが周期的データトラフィックを備え、かつ現在の周期にデータ送信があるとき、前記関連物理サイドリンク共有チャネルと共に、前記第２のサイドリンク制御チャネル、または前記第１のサイドリンク制御チャネル及び前記第２のサイドリンク制御チャネルを受信すること、
を実行させるように構成される、請求項９に記載の装置。
【請求項１６】
前記少なくとも１つのメモリ及び前記コンピュータプログラムコードはさらに、前記少なくとも１つのプロセッサと共に、前記装置に少なくとも、
前記関連物理サイドリンク共有チャネルが非周期的データトラフィックを備えるとき、時間リソースにおいて前記関連物理サイドリンク共有チャネルに先行して前記第１の制御チャネルを受信すること、
を実行させるように構成される、請求項９に記載の装置。
【請求項１７】
方法であって、
第１のサイドリンク制御チャネルを使用して第１のサイドリンク制御情報を、及び、第２のサイドリンク制御チャネルを使用して少なくとも第２のサイドリンク制御情報を提供することであって、前記第１のサイドリンク制御情報は、少なくとも、関連物理サイドリンク共有チャネルのリソース割り当てのインジケーションを備え、データトラフィックは、前記関連物理サイドリンク共有チャネルを介して送信され、前記第２のサイドリンク制御情報は、少なくとも、前記関連物理サイドリンク共有チャネルを復号化するための情報を備えること
を備える、方法。
【請求項１８】
方法であって、
第１のサイドリンク制御チャネルを使用して第１のサイドリンク制御情報を、及び、第２のサイドリンク制御チャネルを使用して少なくとも第２のサイドリンク制御情報を受信することであって、前記第１のサイドリンク制御情報は、少なくとも、関連物理サイドリンク共有チャネルのリソース割り当てのインジケーションを備え、データトラフィックは、前記関連物理サイドリンク共有チャネルを介して送信され、前記第２のサイドリンク制御情報は、少なくとも、前記関連物理サイドリンク共有チャネルを復号化するための情報を備えること
を備える、方法。
【請求項１９】
プログラム命令を記憶する非一時的コンピュータ可読記憶媒体であって、前記プログラム命令は、装置に少なくとも、
第１のサイドリンク制御チャネルを使用して第１のサイドリンク制御情報を、及び、第２のサイドリンク制御チャネルを使用して少なくとも第２のサイドリンク制御情報を提供することであって、前記第１のサイドリンク制御情報は、少なくとも、関連物理サイドリンク共有チャネルのリソース割り当てのインジケーションを備え、データトラフィックは、前記関連物理サイドリンク共有チャネルを介して送信され、前記第２のサイドリンク制御情報は、少なくとも、前記関連物理サイドリンク共有チャネルを復号化するための情報を備えること
を実行させる、非一時的コンピュータ可読記憶媒体。
【請求項２０】
プログラム命令を記憶する非一時的コンピュータ可読記憶媒体であって、前記プログラム命令は、装置に少なくとも、
第１のサイドリンク制御チャネルを使用して第１のサイドリンク制御情報を、及び、第２のサイドリンク制御チャネルを使用して少なくとも第２のサイドリンク制御情報を受信することであって、前記第１のサイドリンク制御情報は、少なくとも、関連物理サイドリンク共有チャネルのリソース割り当てのインジケーションを備え、データトラフィックは、前記関連物理サイドリンク共有チャネルを介して送信され、前記第２のサイドリンク制御情報は、少なくとも、前記関連物理サイドリンク共有チャネルを復号化するための情報を備えること
を実行させる、非一時的コンピュータ可読記憶媒体。
【国際調査報告】
2022502916.tif 000014
2022502916.tif 000015